(57)【要約】【課題】互いに内外に重なり合って底面壁を構成する底フラップを備えた包装ケースにおいて、底フラップの底糊代部の接着面積を容易に確保することができる包装ケースを提供する。【解決手段】正面底フラップ１１と背面底フラップ１２と両側面底フラップ１３が折畳状態では内側に折り込まれ組立状態では互いに内外に重なり合って底面壁を構成する。正面底フラップ１２と背面底フラップ１２の底糊代部３１が側面底フラップ１３の外面にそれぞれ接着される。底糊代部３１は、糊代用折り曲げ線３０の先端３０ａよりも左右方向他端側の位置まで伸びる延長糊代部３２を有し、側面底フラップ１３には、底糊代部３１の延長糊代部３２に対応して、底フラップ用折り曲げ線１０から離れる方向に伸びる突設部３３が形成されている。【選択図】図２
2011063276.tif 000002
【特許請求の範囲】
【請求項１】
折畳状態では内側に折り込まれ組立状態では互いに内外に重なり合って底面壁を構成するように、正面壁と背面壁と両側面壁のそれぞれの下端から底フラップ用折り曲げ線を介して正面底フラップと背面底フラップと両側面底フラップが連設され、正面底フラップと背面底フラップの左右方向一端には、それぞれ底フラップ用折り曲げ線に対し鋭角の角度をなして傾斜した糊代用折り曲げ線を介して底糊代部が連設され、該両底糊代部が両側面底フラップの外面にそれぞれ接着された包装ケースにおいて、
両底糊代部は、糊代用折り曲げ線の先端よりも左右方向他端側の位置まで伸びる延長糊代部を有し、両側面底フラップには、それぞれ接着される底糊代部の延長糊代部に対応して、底フラップ用折り曲げ線から離れる方向に伸びる突設部が形成されていることを特徴とする包装ケース。
【請求項２】
底糊代部は、底フラップ用折り曲げ線に対して略直角に伸びる一端縁部と、底フラップ用折り曲げ線に対して略平行な先端縁部とを有している請求項１記載の包装ケース。
【請求項３】
正面底フラップと背面底フラップの左右方向他端には、延長糊代部と突設部が組立状態において正面底フラップと背面底フラップの内側に位置できるように切欠部が形成されている請求項１又は２記載の包装ケース。
【請求項４】
底糊代部の延長糊代部は左右方向他端側に向けて先細りとなる形状であり、側面底フラップの突設部は底フラップ用折り曲げ線から離れる方向に向けて先細りとなる形状である請求項３記載の包装ケース。
【発明の詳細な説明】
【技術分野】
【０００１】
本発明は、種々の物品を収容可能な包装ケースに関するものである。
【背景技術】
【０００２】
従来、この種の包装ケースとしては、折畳状態では内側に折り込まれて組立状態では互いに内外に重なり合って底面壁を構成する底フラップを備えたものが公知である（下記特許文献１，２）。従来の包装ケースを図５、図６に示している。図５に示すように、正面壁１０１と背面壁１０２からそれぞれ連設された正面底フラップ１１１と背面底フラップ１１２にはそれぞれ折り曲げ線１３０を介して該折り曲げ線１３０から離れるほど先細りとなる略三角形状の底糊代部１３１が形成され、該底糊代部１３１はそれぞれ隣の側面底フラップ１１３の外面に接着される。この包装ケースを折畳状態から拡開して組立状態とすると、図６に示すように、底糊代部１３１が接着された両側面底フラップ１１３は、正面底フラップ１１１と背面底フラップ１１２の外側にそれぞれ重なるようにして位置する。尚、図６において、正面底フラップ１１１には多数のドットを付して示している。
【０００３】
しかしながら、底糊代部１３１は折り曲げ線１３０から離れるほど先細りとなる略三角形状であるので、大きな接着面積を確保することは容易ではない。特に、包装ケースが薄型になって側面壁１０３の幅（即ち正面壁１０１と背面壁１０２との間の離間距離）が小さくなると、それに伴って底糊代部１３１の形状も小さくなり、十分な接着面積を確保することが困難になる。また、底糊代部１３１が小さくなると、糊付け精度の観点から機械的に糊付けを行うことが困難になるという問題もある。
【先行技術文献】
【特許文献】
【０００４】
【特許文献１】特開２００２−５９９１８号公報
【特許文献２】特開２００２−１０４３７６号公報
【発明の概要】
【発明が解決しようとする課題】
【０００５】
それゆえに本発明は上記従来の問題点に鑑みてなされ、互いに内外に重なり合って底面壁を構成する底フラップを備えた包装ケースにおいて、底フラップの底糊代部の接着面積を容易に確保することができる包装ケースを提供することを課題とする。
【課題を解決するための手段】
【０００６】
本発明は上記課題を解決すべくなされたものであって、本発明に係る包装ケースは、折畳状態では内側に折り込まれ組立状態では互いに内外に重なり合って底面壁を構成するように、正面壁と背面壁と両側面壁のそれぞれの下端から底フラップ用折り曲げ線を介して正面底フラップと背面底フラップと両側面底フラップが連設され、正面底フラップと背面底フラップの左右方向一端には、それぞれ底フラップ用折り曲げ線に対し鋭角の角度をなして傾斜した糊代用折り曲げ線を介して底糊代部が連設され、該両底糊代部が両側面底フラップの外面にそれぞれ接着された包装ケースにおいて、両底糊代部は、糊代用折り曲げ線の先端よりも左右方向他端側の位置まで伸びる延長糊代部を有し、両側面底フラップには、それぞれ接着される底糊代部の延長糊代部に対応して、底フラップ用折り曲げ線から離れる方向に伸びる突設部が形成されていることを特徴とする。
【０００７】
該構成の包装ケースにあっては、正面底フラップと背面底フラップの各底糊代部に延長糊代部が形成されていると共に両側面底フラップには底糊代部に対応して突設部が形成されているので、底糊代部を側面底フラップに容易に接着することができる。
【０００８】
特に、底糊代部は、底フラップ用折り曲げ線に対して略直角に伸びる一端縁部と、底フラップ用折り曲げ線に対して略平行な先端縁部とを有していることが好ましい。底糊代部の一端縁部と先端縁部との間が略直角になるので、底糊代部の面積を効率良く確保することができる。
【０００９】
また、正面底フラップと背面底フラップの左右方向他端には、延長糊代部と突設部が組立状態において正面底フラップと背面底フラップの内側に位置できるように切欠部が形成されていることが好ましい。この場合、組立状態において延長糊代部と突設部を、切欠部を介して正面底フラップと背面底フラップの内側に位置させることができる。従って、延長糊代部と突設部が正面底フラップ等の外側に位置する場合のように輸送時や陳列時等において他の物品に引っかかるということもない。また、延長糊代部と突設部がそれに対向する正面底フラップ等の内側に入り込むことになるので、底面壁がより一層強固なものとなる。特に、底糊代部と側面底フラップが切欠部において正面底フラップ等と係止することになるので、底抜けが確実に防止される。
【００１０】
特に、底糊代部の延長糊代部は左右方向他端側に向けて先細りとなる形状であり、側面底フラップの突設部は底フラップ用折り曲げ線から離れる方向に向けて先細りとなる形状であることが好ましく、切欠部を介して正面底フラップと背面底フラップの内側にスムーズに入り込むことになる。
【発明の効果】
【００１１】
以上のように、正面底フラップと背面底フラップの各底糊代部に延長糊代部が形成されていると共に両側面底フラップには底糊代部に対応して突設部が形成されているので、十分な接着面積を確保することができる。特に、薄型の包装ケースにおいて効果が大きく、機械による自動糊付けにも適している。
【図面の簡単な説明】
【００１２】
【図１】本発明の一実施形態における包装ケースを示す展開図。
【図２】図１の要部拡大図。
【図３】同実施形態における包装ケースを示す底面図。
【図４】本発明の他の実施形態における包装ケースを示す要部展開図。
【図５】従来の包装ケースを示す展開図。
【図６】同包装ケースを示す底面図。
【発明を実施するための形態】
【００１３】
以下、本発明の一実施形態にかかる包装ケースについて図１乃至図３を参酌しつつ説明する。本実施形態における包装ケースは、図１にその展開図を示しているように、上下方向に長い縦長の直方体であって、且つ、左右方向の寸法よりも奥行き方向の寸法が小さい横断面長方形の薄型ケースである。
【００１４】
具体的には、正面壁１と背面壁２と左右の側面壁３，４が折り曲げ線５を介して連設されて、正面壁１の隣に折り曲げ線５を介して連設された糊代部６により角筒状に形成される。また、正面壁１の上端には上面壁９が折り曲げ線５を介して連設され、該上面壁９には折り曲げ線５を介して差し込みフラップ７が連設されており、更に、両側面壁３，４の上端にはそれぞれサイドフラップ８が折り曲げ線５を介して連設されている。
【００１５】
一方、正面壁１と背面壁２と両側面壁３，４の各下端には、底フラップ用折り曲げ線１０を介して底フラップが連設されている。即ち、正面壁１と背面壁２にはそれぞれ正面底フラップ１１と背面底フラップ１２が連設され、両側面壁３，４には側面底フラップ１３がそれぞれ連設されている。展開状態において、正面底フラップ１１と背面底フラップ１２は互いに同一形状であり、両側面底フラップ１３もまた互いに同一形状である。従って、以下、正面底フラップ１１と背面底フラップ１２の詳細については正面底フラップ１１について説明すると共に詳細箇所の符号は互いに共通の符号を用いる。また、側面底フラップ１３の詳細箇所についても同様に互いに共通の符号を用いている。尚、図３において、正面底フラップ１１には多数のドットを付して示している。
【００１６】
正面底フラップ１１は、左右方向の一端側の半分領域２０と他端側の半分領域２１とからなる。一端側の半分領域２０は、その先端縁部２０ａが底フラップ用折り曲げ線１０と略平行であり、且つ、底フラップ用折り曲げ線１０からの距離が側面壁３，４の幅（正面壁１と背面壁２との離間距離）の略半分となっている。また、他端側の半分領域２１は、一端側の半分領域２０よりも底フラップ用折り曲げ線１０からの距離が大きく、その先端側の領域は組立状態において背面底フラップ１２の内側に重なる重なり部２２となっている。尚、他端側の半分領域２１の先端縁部２１ａも底フラップ用折り曲げ線１０と略平行である。
【００１７】
尚、一端側の半分領域２０と他端側の半分領域２１との間の境界部、即ち、正面底フラップ１１の左右方向略中央部には、他端側の半分領域２１に向かって鋭角に切り欠かれたロック用切欠部２３が形成されている。
【００１８】
更に、正面底フラップ１１の左右方向他端には、左右方向の一端側に向けて切り欠かれた切欠部２４が形成されている。該切欠部２４は略三角形状であり、従って、切欠部２４に面する第１縁部２４ａと第２縁部２４ｂは略くの字状となっている。より詳細には、第１縁部２４ａは底フラップ用折り曲げ線１０から左右方向一端側に向けて傾斜して伸びており、底フラップ用折り曲げ線１０との間の傾斜角度は略４５度である。該第１縁部２４ａは、底フラップ用折り曲げ線１０からの距離が側面壁３，４の幅の略半分となるところまで伸びている。従って、第１縁部２４ａと第２縁部２４ｂとの間の屈曲点は、一端側の半分領域２０の先端縁部２０ａを延長した線上に位置する。また、第２縁部２４ｂは、屈曲点から左右方向の他端側に向けて傾斜して伸びていて、底フラップ用折り曲げ線１０に対する傾斜角度は略４５度である。従って、第２縁部２４ｂは第１縁部２４ａに対して略直角の角度をなしている。
【００１９】
一方、正面底フラップ１１の左右方向一端には、糊代用折り曲げ線３０を介して底糊代部３１が連設され、背面底フラップ１２についても同様であって、両底糊代部３１の形状は互いに同一である。糊代用折り曲げ線３０は、底フラップ用折り曲げ線１０に対し鋭角の角度をなして傾斜していてその傾斜角度は略４５度である。底糊代部３１は、底フラップ用折り曲げ線１０に対して略直角に伸びる一端縁部３１ａと、底フラップ用折り曲げ線１０に対して略平行な先端縁部３１ｂと、一端側の半分領域２０の先端縁部２０ａに対して鋭角の角度をなして左右方向他端側に向かって伸びる他端縁部３１ｃとを有して、全体として略直角三角形の形状に形成されている。底糊代部３１の一端縁部３１ａは、正面壁１と側面壁３，４との間の折り曲げ線５よりも若干内側に位置している。また、底糊代部３１の先端縁部３１ｂは、他端側の半分領域２１の先端縁部２１ａと略同一線上にある。そして、底糊代部３１の他端縁部３１ｃは、一端側の半分領域２０の先端縁部２０ａに対して略４５度の角度をなしており、従って、底糊代部３１の他端縁部３１ｃは糊代用折り曲げ線３０と略平行である。このように、底糊代部３１は、糊代用折り曲げ線３０の先端３０ａよりも左右方向他端側の位置まで伸びる延長糊代部３２を有しており、該延長糊代部３２は左右方向他端側に向けて徐々に先細りとなる形状である。具体的には延長糊代部３２は左右方向他端側を頂部とする三角形状であってその頂角は略４５度である。
【００２０】
かかる底糊代部３１は、組立に際して隣の側面底フラップ１３の外面に接着される。従って、側面底フラップ１３も底糊代部３１の形状に対応した形状となっている。即ち、側面底フラップ１３には、底糊代部３１の延長糊代部３２に対応して、底フラップ用折り曲げ線１０から離れる方向に伸びる突設部３３が形成されている。該突設部３３は、延長糊代部３２に対応して、底フラップ用折り曲げ線１０から離れる先端方向に向けて先細りの形状となっている。具体的には、突設部３３は、底フラップ用折り曲げ線１０から離れる先端側を頂部とする三角形状であってその頂角は略４５度である。より詳細には、突設部３３は、一端縁部３３ａと他端縁部３３ｂとを有し、一端縁部３３ａは底フラップ用折り曲げ線１０に対して略直交していて、接着状態において底糊代部３１の先端縁部３１ｂと対応し、他端縁部３３ｂは一端縁部３３ａに対して略４５度の角度をなしていて、接着状態において底糊代部３１の他端縁部３１ｃと対応する。尚、側面底フラップ１３は底糊代部３１よりも一回り大きく形成されていて、側面底フラップ１３に底糊代部３１を重ね合わせた際に、底糊代部３１の周囲に余裕代が生じるように形成されている。
【００２１】
尚、包装ケースを構成するシートとしては、紙製やプラスチック製の各種のシートを使用することができる。例えば、厚紙やプラスチックシート、紙とプラスチックを積層したもの、紙又はプラスチックシートと金属箔を積層したものなどがあり、厚さ０．２〜１ｍｍ程度のものが好ましい。特に、収容する被包装物を外部から視認できるように透明又は半透明のプラスチックシートを使用することが好ましい。尚、プラスチックシートの材質は、ポリエチレンテレフタレート等のポリエステル、ポリ塩化ビニル、ポリプロピレン、ポリスチレン等であり、特にポリプロピレンが好ましい。また、折り曲げ線５、底フラップ用折り曲げ線１０、糊代用折り曲げ線３０は、種々の折り曲げ罫線を使用でき、シートを厚み方向に略Ｖ字状に切り込んだハーフカット線や、貫通孔あるいは凹部が断続的に形成されたミシン目線やリード罫線などの折り曲げ罫線を使用できる。
【００２２】
以上のように構成された包装ケースは、糊代部６が側面壁４に接着されることで筒状とされ且つ、底糊代部３１が側面底フラップ１３に接着されて糊代用折り曲げ線３０で谷折りとされ、正面底フラップ１１、背面底フラップ１２及び両側面底フラップ１３が正面壁１等の内側に折り込まれて、扁平の折畳状態とされる。底糊代部３１が側面底フラップ１３に接着される際においては、底糊代部３１に延長糊代部３２が形成され且つ側面底フラップ１３に突設部３３が形成されているので、十分な接着面積を確保することができ、また、機械による自動糊付けも容易に行うことができる。特に、底糊代部３１の一端縁部３１ａと先端縁部３１ｂとの間が略直角であるので、側面底フラップ１３から底糊代部３１がはみ出すこともなく、底糊代部３１の面積を効率良く確保することができる。
【００２３】
そして、この折畳状態から拡開されて組立状態となるが、折畳状態から組立状態とすることによって図３に示すように各底フラップ１１，１２，１３は自動的に互いに内外に重なり合って底面壁を構成する。即ち、ワンタッチの組立が可能である。その際、正面底フラップ１１のロック用切欠部２３と背面底フラップ１２のロック用切欠部２３が互いに係止することになり、比較的重量のある被包装物であっても底抜けを確実に防止することができる。また、底糊代部３１の延長糊代部３２と側面底フラップ１３の突設部３３が切欠部２４を介して正面底フラップ１１と背面底フラップ１２の内側に入り込で重なり合うことになる。従って、底糊代部３１の延長糊代部３２と側面底フラップ１３の突設部３３が例えば輸送時や陳列時において他の物品に引っかかるということもない。しかも、底糊代部３１の延長糊代部３２と側面底フラップ１３の突設部３３が正面底フラップ１１と背面底フラップ１２の内側に入り込む状態となるので、包装ケースの底面壁がより一層強固に組み上がることになり、底面壁の強度も向上する。特に、底糊代部３１と側面底フラップ１３が切欠部２４において正面底フラップ１１や背面底フラップ１２と係止することになるので底抜け防止に効果が大きい。即ち、中央においては、正面底フラップ１１のロック用切欠部２３と背面底フラップ１２のロック用切欠部２３とが係止し、左右においては、底糊代部３１と側面底フラップ１３が切欠部２４において正面底フラップ１１や背面底フラップ１２と係止することになる。このように底面壁が合計三カ所で係止即ちロックされる構造になり、この三点ロック構造によって底抜けを確実に防止することができるのである。また、底糊代部３１の延長糊代部３２と側面底フラップ１３の突設部３３が先細り形状となっているので、正面底フラップ１１と背面底フラップ１２の内側に容易に入り込むことができる。
【００２４】
尚、本実施形態では、ロック用切欠部２３を設けたが、図４のようにロック用切欠部２３を設けずに底フラップ用折り曲げ線１０に対して略直交する縁部４０としてもよい。
【００２５】
また、底糊代部３１の他端縁部３１ｃが一端側の半分領域２０の先端縁部２０ａに対して略４５度に傾斜する場合について説明したが、略４５度よりも大きい角度であってもよい。
【００２６】
更に、延長糊代部３２や突設部３３を略三角形状としたが、種々の形状が可能であって、例えば円弧状としてもよい。
【００２７】
また更に、正面底フラップ１１と背面底フラップ１２の左右方向他端の切欠部２４の形状についても種々の設計変更が可能であって、第１縁部２４ａや第２縁部２４ｂを直線状とせずに円弧状としてもよい。
【００２８】
尚、正面底フラップ１１と背面底フラップ１２の形状についても各種の形状が採用可能であり、重なり部２２の形状を含めて種々変更可能である。
【００２９】
また、正面底フラップ１１と背面底フラップ１２を互いに同一形状とし、両側面底フラップ１３についても互いに同一形状としたが、異形状としてもよい。同様に、両底糊代部３１についても互いに異なる形状としてもよい。
【００３０】
更に、包装ケースの幅と奥行きの寸法比率についても種々の寸法比率のものに適用可能であり、また、上面壁９を背面壁２ではなく正面壁１に連設してもよい。
【符号の説明】
【００３１】
１    正面壁
２    背面壁
３    側面壁
４    側面壁
５    折り曲げ線
６    糊代部
７    差し込みフラップ
８    サイドフラップ
９    上面壁
１０    底フラップ用折り曲げ線
１１    正面底フラップ
１２    背面底フラップ
１３    側面底フラップ
２０    一端側の半分領域
２０ａ  先端縁部
２１    他端側の半分領域
２１ａ  先端縁部
２２    重なり部
２３    ロック用切欠部
２４    切欠部
２４ａ  第１縁部
２４ｂ  第２縁部
３０    糊代用折り曲げ線
３０ａ  先端
３１    底糊代部
３１ａ  一端縁部
３１ｂ  先端縁部
３１ｃ  他端縁部
３２    延長糊代部
３３    突設部
３３ａ  一端縁部
３３ｂ  他端縁部
４０    縁部
１０１    正面壁
１０２    背面壁
１０３    側面壁
１１１    正面底フラップ
１１２    背面底フラップ
１１３    側面底フラップ
１３０    折り曲げ線
１３１    底糊代部
【図１】
2011063276.tif 000003
【図２】
2011063276.tif 000004
【図３】
2011063276.tif 000005
【図４】
2011063276.tif 000006
【図５】
2011063276.tif 000007
【図６】
2011063276.tif 000008